(57)【要約】【課題】本発明は、便器のリムの開口部と、局部洗浄ノズルのノズルガイド筒のボウル部側の先端とが離れていても、局部洗浄ユニットのサイズや形状を変更することなく、開口部に開閉蓋を位置させることができる便器を提供すること。【解決手段】本発明の便器は、局部洗浄ノズル３を局部洗浄ユニット４に設けたノズルガイド筒５内からリム２の開口部２ｂを通してボウル部１に出し入れ自在に設けた便器において、接続具７を介して、ノズルガイド筒５と開閉蓋６とを接続し、且つ開口部２ｂを開閉する箇所に開閉蓋６を位置させたことを特徴とする。【選択図】図１
2011069184.tif 000002
【特許請求の範囲】
【請求項１】
便器のボウル部の上端に設けたリムの内周壁に開閉蓋が位置する開口部を設け、前記開口部の後方に局部洗浄ノズルを有する局部洗浄ユニットを設け、前記局部洗浄ノズルを前記局部洗浄ユニットに設けたノズルガイド筒内から前記開口部を通して前記ボウル部に出し入れ自在に設けた便器において、前記ノズルガイド筒の前記ボウル部側の先端上部に第１軸受け部を設け、前記開閉蓋の上部に、前記第１軸受け部に回転自在に取り付け可能な軸部を設け、前記第１軸受け部に取り付け可能な取付部を一端に備えると共に、前記軸部を回転自在に軸支する第２軸受け部を他端に備えた接続具を介して、前記ノズルガイド筒と前記開閉蓋とを接続し、且つ前記開口部を開閉する箇所に前記開閉蓋を位置させたことを特徴とする便器。
【請求項２】
前記接続具は、前記第２軸受け部からの距離の異なる複数の前記取付部を下方に向けて突設させてあり、その中から所定の前記取付部を選択し、前記第１軸受け部に取り付けたことを特徴とする請求項１に記載の便器。
【請求項３】
前記接続具は、前記ノズルガイド筒の前記ボウル部側の先端面に接触すると共に、前記ノズルガイド筒内の前記局部洗浄ノズルには接触しない先端面接触片をさらに備えたことを特徴とする請求項１又は２に記載の便器。
【請求項４】
前記第１軸受け部は、幅狭の開口を有する断面略Ｃ字状に形成されていて、前記接続具の前記取付部は、前記断面略Ｃ字状の前記第１軸受け部の内側の奥部に嵌まると共に前記開口よりも径が大きい軸部と、前記開口に嵌まると共に前記開口より外側に突出しない開口補強部と、を有することを特徴とする請求項１〜３のいずれか一項に記載の便器。
【発明の詳細な説明】
【技術分野】
【０００１】
本発明は、局部洗浄ノズルを出し入れ自在に設けた局部洗浄ユニットを有する便器に関するものである。
【背景技術】
【０００２】
近年、局部洗浄ノズルを出し入れ自在に設けた局部洗浄ユニットを有する便器において、図７及び図８に示す特許文献１に記載の便器のように、局部洗浄ノズル３の出し入れをガイドするノズルガイド筒５のボウル部１側の先端上部５ａに開閉蓋６を軸支させ、局部洗浄ノズル３の動作に応じて便器のリム２に設けた開口部２ｂをその開閉蓋６で開閉し、汚水やほこりなどが便器のボウル部１側から局部洗浄ノズル３に侵入することを防止する便器が提案されている。
【先行技術文献】
【特許文献】
【０００３】
【特許文献１】特開２００８−９５４６０号公報
【発明の概要】
【発明が解決しようとする課題】
【０００４】
しかし、便器のサイズや形状が異なる場合、ノズルガイド筒５先端とリム２の開口部２ｂとの距離が所定の距離よりも離れてしまって、便器のリム２に設けた開口部２ｂに開閉蓋６を位置させることができなくなるので、複数の寸法の局部洗浄ユニット４を準備しておく必要があるという問題があった。
【０００５】
本発明は、便器のリムの開口部と、局部洗浄ノズルのノズルガイド筒のボウル部側の先端とが離れていても、局部洗浄ユニットのサイズや形状を変更することなく、便器のリムの開口部に開閉蓋を位置させることができる便器を提供することを課題とする。
【課題を解決するための手段】
【０００６】
上記課題を解決するための本発明の便器は、便器のボウル部の上端に設けたリムの内周壁に開閉蓋が位置する開口部を設け、前記開口部の後方に局部洗浄ノズルを有する局部洗浄ユニットを設け、前記局部洗浄ノズルを前記局部洗浄ユニットに設けたノズルガイド筒内から前記開口部を通して前記ボウル部に出し入れ自在に設けた便器において、前記ノズルガイド筒の前記ボウル部側の先端上部に第１軸受け部を設け、前記開閉蓋の上部に、前記第１軸受け部に取り付け可能な軸部を設け、前記第１軸受け部に回転自在に取り付け可能な取付部を一端に備えると共に、前記軸部を回転自在に軸支する第２軸受け部を他端に備えた接続具を介して、前記ノズルガイド筒と前記開閉蓋とを接続し、且つ前記開口部を開閉する箇所に前記開閉蓋を位置させたことを特徴とする。
【０００７】
また、前記接続具は、前記第２軸受け部からの距離の異なる複数の前記取付部を下方に向けて突設させてあり、その中から所定の前記取付部を選択し、前記第１軸受け部に取り付けることが好ましい。
【０００８】
また、前記接続具は、前記ノズルガイド筒の前記ボウル部側の先端面に接触すると共に、前記ノズルガイド筒内の前記局部洗浄ノズルには接触しない先端面接触片をさらに備えることが好ましい。
【０００９】
また、前記第１軸受け部は、幅狭の開口を有する断面略Ｃ字状に形成されていて、前記接続具の前記取付部は、前記断面略Ｃ字状の前記第１軸受け部の内側の奥部に嵌まると共に前記開口よりも径が大きい軸部と、前記開口に嵌まると共に前記開口より外側に突出しない開口補強部と、を有することが好ましい。
【発明の効果】
【００１０】
本発明の便器は、便器のリムの開口部と、ノズルガイド筒のボウル部側の先端とが離れていても、局部洗浄ユニットのサイズや形状を変更することなく、便器のリムの開口部に開閉蓋を位置させることができるという効果がある。
【図面の簡単な説明】
【００１１】
【図１】本発明の実施形態１の便器の要部斜視図を示す。
【図２】上記実施形態１の便器の要部正面図を示す。
【図３】上記実施形態１の接続具を示す。（ａ）は正面図で、（ｂ）は平面図で、（ｃ）は下面図を示す。
【図４】本発明の実施形態２の接続具を示す。（ａ）は正面図で、（ｂ）は平面図で、（ｃ）は下面図を示す。
【図５】本発明の実施形態３の接続具の斜視図を示す。
【図６】同上の接続具を、ノズルガイド筒及び開閉蓋に取り付けた状態の側面図を示す。
【図７】従来例の便器の全体斜視図を示す。
【図８】従来例の便器の要部正面図を示す。
【発明を実施するための形態】
【００１２】
以下、本発明を図に示す実施形態の便器に基づいて説明する。
【００１３】
本発明の実施形態１の便器は、従来例と同様に、ボウル部１と、ボウル部１の上端に設けたリム２と、ボウル部１を囲むスカート部８等からなる便器本体に、局部洗浄ユニット４を備えたものである（図７参照）。ボウル部１の底部には、排水口（図示せず）が開設されている。リム２の内周壁２ａの後部には、後述する局部洗浄ノズル３の出入り口として、開閉蓋６が位置する開口部２ｂが設けられている。
【００１４】
局部洗浄ユニット４は、基台９に局部洗浄ノズル３等を装備したものであり、開口部２ｂの後方の便器本体に設けられている。局部洗浄ノズル３は、局部洗浄ユニット４のノズルガイド筒５内に設けられている。局部洗浄ユニット４に設けた局部洗浄ノズル３は、ノズルガイド筒５内から開口部２ｂを通してボウル部１に出し入れ自在となっている。また、局部洗浄ノズル３は、局部に向けて洗浄液を吐出することができる位置まで、突出可能となっている。
【００１５】
ノズルガイド筒５のボウル部１側の先端上部５ａには、第１軸受け部５ｂを設けており、開閉蓋６の上部６ａには、第１軸受け部５ｂに回転自在に取り付け可能な軸部６ｂを設けている。
【００１６】
開口部２ｂを開閉する開閉蓋６は、蓋片６ｃと、蓋片６ｃの上部６ａより枝分かれ形成した回動片６ｄと、その回動片６ｄの先端で回動の軸になる軸部６ｂと、蓋片６ｃより延設された上端片６ｅとを備え、軸部６ｂがノズルガイド筒５のボウル部１側の先端上部５ａに形成された第１軸受け部５ｂ又は、後述する接続具７の一端側の先端上面に形成された第２軸受け部７ｂに軸受けされて、所定回動角度内で回動可能に軸支される。
【００１７】
開閉蓋６は、局部洗浄ノズル３の伸張時に、局部洗浄ノズル３の押圧力によって押し上げられて、開口部２ｂを開く構造となっており、開閉蓋６に力が作用しない自然な状態では、蓋片６ｃは重力に従い床面に対して垂直に垂れ下がり、それによって開口部２ｂを塞いでいる。開口部２ｂを塞いだ状態では、蓋片６ｃのボウル部１側の面は、リム２の内周壁２ａの延長上にあり、内周壁面の一部を形成し、ボウル部１からの汚水やほこりが浸入しにくい構造となっている。また、開閉蓋６が回動する際に上端片６ｅが開口部２ｂの上端に接触しないように、上端片６ｅはボウル部１後方側へ折曲形成されている。
【００１８】
本発明の実施形態１の便器においては、ノズルガイド筒５と開閉蓋６とを接続するために接続具７が設けられている。接続具７には、ノズルガイド筒５の第１軸受け部５ｂに取り付け可能な取付部７ａが一端の下面に備えられると共に、開閉蓋６の軸部６ｂを回転自在に軸支する第２軸受け部７ｂが他端の上面に備えられている。この接続具７を介して、ノズルガイド筒５と開閉蓋６とを接続することで、開口部２ｂを開閉する箇所に開閉蓋６を位置させることができる。
【００１９】
便器のリム２の開口部２ｂと、ノズルガイド筒５のボウル部１側の先端とが離れている場合、ノズルガイド筒５の第１軸受け部５ｂに接続具７の取付部７ａを取り付け、開閉蓋６の軸部６ｂを接続具７の第２軸受け部７ｂに軸支させることで、便器のリム２に設けた開口部２ｂに開閉蓋６を位置させることができる。また、便器のリム２の開口部２ｂと、ノズルガイド筒５のボウル部１側の先端とが離れていない場合、ノズルガイド筒５の第１軸受け部５ｂに開閉蓋６の軸部６ｂを直接取り付けて、開口部２ｂに開閉蓋６を位置させることができる。
【００２０】
このようにして実施形態１の便器は、便器のリム２の開口部２ｂと、ノズルガイド筒５のボウル部１側の先端とが離れていても、局部洗浄ユニット４のサイズや形状を変更することなく、接続具７を用いるだけで便器のリム２の開口部２ｂに開閉蓋６を位置させることができる。
【００２１】
ここで、実施形態１の接続具７をさらに詳しく説明する。なお、取付部７ａと第２軸受け部７ｂの距離方向を長さ方向とし、長さ方向に直交する方向を幅方向とする。図３（ａ）〜（ｃ）に示すように、接続具７は、幅方向の長さが、ノズルガイド筒５と略同じ幅の矩形板で形成されていて、取付部７ａを設けている長さ方向の一端側の下面には、端縁全体に亘って起き上がり防止片７ｃが突設されている。その起き上がり防止片７ｃによって、接続具７をノズルガイド筒５に取り付けた際に、取付部７ａを中心に接続具７の他端側の端部が上方に回動することを防止する。起き上がり防止片７ｃの隣（接続具７の他端側方向の隣）には、両端を除いて幅方向の全体に亘って取付部７ａが設けられている。取付部７ａの隣（接続具７の他端側方向の隣）には、倒れ防止片７ｄが幅方向全部に亘って下方に向けて突設されている。倒れ防止片７ｄがノズルガイド筒５の上面に当接することで、接続具７をノズルガイド筒５に取り付けた際に、取付部７ａを中心に接続具７の他端側の端部が下方に回動することを防止する。このように、取付部７ａの両隣に、下方に突設してノズルガイド筒５の上面に当接する起き上がり防止片７ｃ、倒れ防止片７ｄを設けることで、接続具７がノズルガイド筒５に取付られた状態で、接続具７の他端側の端部が上下に回動することを防止する。
【００２２】
また、接続具７の長さ方向の他端側の上面に設けられた第２軸受け部７ｂは、開閉蓋６の軸部６ｂを嵌合して軸支し、一定の回動角度間で回動可能とするために、内側に湾曲する２つの突起７ｂ１、７ｂ２が対向するように上方に向けて突出しており、その２つの突起７ｂ１、７ｂ２の間の空間が軸部６ｂの断面形状である円形になるように突出している。この湾曲する突起７ｂ１、７ｂ２は複数組（図では２組）設けられている。また、幅方向の両端には軸部６ｂの両端を挟んで幅方向にずれるのを防止するもう１組の突起７ｂ３、７ｂ４が上方に向けて突出している。実施形態１では、取付部７ａは幅方向の略全部に亘って設けているが、第１軸受け部５ｂと嵌合する部位のみに設けても構わない。なお、実施形態１では、第１軸受け部５ｂは、第２軸受け部７ｂの突起７ｂ１、７ｂ２と同じ形状であり、幅方向に距離をおいて２組設けられている。また、て径の大きい開閉蓋６の軸部６ｂは、取付部７ａの先端と同様の形状になっている。なお、第１軸受け部５ｂは、取付部７ａ及び軸部６ｂが取付可能であれば他の形状であっても良く、軸部６ｂは、第１軸受け部５ｂ及び第２軸受け部７ｂに取付可能であれば、他の形状であっても構わない。
【００２３】
取付部７ａは、先端が、上述した湾曲する突起７ｂ１、７ｂ２と同じ形状の第１軸受け部５ｂに嵌合される断面視円形状で形成されていて、接続具７の上面に近い基部部分が、湾曲する突起７ｂ１、７ｂ２と同じ形状の第１軸受け部５ｂの対向する先端部分の間の距離よりも小さい直径で形成されていて、その先端間の距離の間でのみ接続具７は回動可能となっている。第１軸受け部５ｂまたは第２軸受け部７ｂの、対向する先端部分の間の距離は、第１軸受け部５ｂまたは第２軸受け部７ｂのいずれかに取り付けた開閉蓋６が、少なくともリム２の内周壁２ａと同一面となるように垂直になる角度から局部洗浄ノズル３が完全に突出した状態の時の開閉蓋６を押し上げる角度まで回動可能となるように設定されている。
【００２４】
ここで、実施形態１において、便器のリム２の開口部２ｂと、ノズルガイド筒５のボウル部１側の先端との距離に合わせて、取付部７ａと第２軸受け部７ｂとの間の距離が異なる複数の接続具７を予め準備しておけば、その中から、便器のリム２の開口部２ｂと、ノズルガイド筒５のボウル部１側の先端との距離に応じた適切な接続具７を選択して、便器のリム２の開口部２ｂと、ノズルガイド筒５のボウル部１側の先端との距離に関わらず、局部洗浄ユニット４のサイズや形状を変更することなく、開口部２ｂに開閉蓋６を位置させることができる。
【００２５】
次に、本発明の実施形態２の接続具７について説明する。
【００２６】
実施形態２の接続具７は、図４（ａ）〜（ｃ）に示すように、第２軸受け部７ｂからの距離の異なる複数（図では３つ）の取付部７ａ（取付部７ａ１、取付部７ａ２、取付部７ａ３…）を接続具７の下面から下方に向けて長さ方向に並んで突設させている。その中から所定の取付部７ａを選択し、第１軸受け部５ｂに取り付ける。
【００２７】
このような構造とすることで、便器のリム２の開口部２ｂと、ノズルガイド筒５のボウル部１側の先端との距離に応じて、適切な取付部７ａを選択して、開口部２ｂに開閉蓋６を位置させることができる。この場合、接続具７は複数準備する必要はなく、１つだけでいいので、複数準備する場合と比べ、無駄がなく、コストがかからない。
【００２８】
このようにして、便器のリム２の開口部２ｂと、ノズルガイド筒５のボウル部１側の先端との距離に応じた接続具７の取付部７ａを選択可能としたことで、１つの接続具７で、便器のリム２の開口部２ｂと、ノズルガイド筒５のボウル部１側の先端との距離に関わらず、便器のリム２の開口部２ｂに開閉蓋６を位置させることができる。
【００２９】
また、取付部７ａの長さ方向の両隣には、上述した起き上がり防止片７ｃ、倒れ防止片７ｄが設けられているので、どの取付部（７ａ１、７ａ２、７ａ３…）を選択した場合であっても、選択した取付部（７ａ１、７ａ２、７ａ３…）を中心に第２軸受け部７ｂ側の端部が上下に回動しにくくなっている。ここで、選択しなかった取付部は、起き上がり防止片７ｃまたは倒れ防止片７ｄと同様に、接続具７の第２軸受け部７ｂ側の端部が上下に回動することを防止する。
【００３０】
次に、本発明の実施形態３の接続具７について説明する。ここで、接続具７は、上述の実施形態１，２と同様のノズルガイド筒５に取り付けるものであって、異なる構成について詳しく説明する。なお、ノズルガイド筒５の第１軸受け部５ｂは、全体として、幅狭の開口５ｄ１を上端部に有する断面略Ｃ字状に形成されている。ここで、断面略Ｃ字状の第１軸受け部５ｂの開口５ｄ１の奥側の軸受け空間を奥部５ｄ２とする。
【００３１】
接続具７は、図５に示すように、長さ方向の中央部を挟んで片側がもう片側より一段下がった矩形板７ｅを主体として形成されている。矩形板７ｅは、ノズルガイド筒５の第１軸受け部５ｂ，５ｂ間の長さと略同じ幅で形成されている。
【００３２】
下段側の矩形板７ｅの幅方向の両側面からは、図５に示すように、略三角柱状の傾斜部７ｇと、上方に向けて幅狭に開口した断面略Ｃ字状の第２軸受け部７ｂとが一体となって突出形成されている。略三角柱状の傾斜部７ｇは、一面がノズルガイド筒５の先端面上部５ｃ１の傾斜に沿った傾斜面７ｇ１となっている。断面略Ｃ字状の第２軸受け部７ｂの開口幅は、開閉蓋６の円柱状の軸部６ｂの径より幅狭となるように形成されている。この第２軸受け部７ｂに開閉蓋６の軸部６ｂを取り付ける際には、第２軸受け部７ｂは、弾性変形して幅狭の開口が拡がって、軸部６ｂを通過させた後、もとの開口幅に戻る。このような構造とすることで、第２軸受け部７ｂは、軸部６ｂを幅狭の開口で係止して外側に抜け難い状態としたうえで、回動自在に軸受けする。
【００３３】
また、この一体に突出形成された傾斜部７ｇと第２軸受け部７ｂの突出先端の下部からは、図６に示すように、ノズルガイド筒５の先端面側部５ｃ２に沿って延びる直方体状の先端面接触片７ｆが突出形成されている。なお、先端面接触片７ｆは、直方体状でなくても構わない。ここで、先端面接触片７ｆは、接続具７がノズルガイド筒５に取り付けられた状態において、ノズルガイド筒５内に出し入れ自在に設けられた局部洗浄ノズル３に接触しない（出し入れの邪魔をしない）位置に形成されている。
【００３４】
また、上段側の矩形板７ｅの幅方向の両側面からは、第１軸受け部５ｂに軸受けされる取付部７ａが、それぞれ突出形成されている。
【００３５】
取付部７ａは、図６に示すように、第１軸受け部５ｂの軸受け空間である奥部５ｄ２に嵌まる円柱状の軸部７ｈ１と、第１軸受け部５ｂの開口５ｄ１に嵌まると共にその開口５ｄ１より外側に突出しない直方体状の開口補強部７ｈ２と、から構成される。なお、開口補強部７ｈ２は直方体状でなくても構わない。ここで、軸部７ｈ１は、第１軸受け部５ｂの開口５ｄ１の開口幅より大きい径を有するように形成されている。この取付部７ａを第１軸受け部５ｂに取り付ける際には、取付部７ａは、軸部７ｈ１で第１軸受け部５ｂを弾性変形させて幅狭の開口５ｄ１を拡げて奥部５ｄ２に嵌まる。第１軸受け部５ｂの開口５ｄ１は、軸部７ｈ１が通過した後、もとの開口幅に戻る。このとき、取付部７ａの開口補強部７ｈ２は、第１軸受け部５ｂの開口５ｄ１に嵌まった状態となる。
【００３６】
すなわち、本実施形態においては、第１軸受け部５ｂは、幅狭の開口５ｄ１を有する断面略Ｃ字状に形成されていて、接続具７の取付部７ａは、断面略Ｃ字状の前記第１軸受け部５ｂの内側の奥部５ｄ２に嵌まると共に開口５ｄ１よりも径が大きい軸部７ｈ１と、開口５ｄ１に嵌まると共に開口５ｄ１より外側（上方）に突出しない開口補強部７ｈ２と、を有する。このような構成とすることで、取付部７ａの軸部７ｈ１と開口補強部７ｈ２とは、第１軸受け部５ｂの開口５ｄ１と奥部５ｄ２とに、それぞれ嵌まった状態となり、取付部７ａは第１軸受け部５ｂの外側（上方）に抜け難くなっている。また、このとき、第１軸受け部５ｂと取付部７ａとは隙間無く嵌まった状態となっているので、接続具７に外部から力が掛かっても、第１軸受け部５ｂに局部的に力が集中することを防止して、破損しにくくなっている。
【００３７】
上記形状の接続具７の取付部７ａを、ノズルガイド筒５の第１軸受け部５ｂに取り付けると、図６に示すように、接続具７はノズルガイド筒５の先端面５ｃに接触する。詳しくは、第１軸受け部５ｂに取付部７ａは隙間無く嵌まった状態となり、傾斜部７ｇの傾斜面７ｇ１は、ノズルガイド筒５の先端面上部５ｃ１の傾斜面に接触し、先端面接触片７ｆは、ノズルガイド筒５の先端面側部５ｃ２に接触する。このようにして第１軸受け部５ｂに取り付けられた接続具７の第２軸受け部７ｂに、開閉蓋６の軸部６ｂが取り付けられる。
【００３８】
このようにノズルガイド筒５の先端面側部５ｃ２には、接続具７の先端面接触片７ｆが接触しているので、ボウル部１を掃除する際などに、ボウル部１側から開閉蓋６が方向Ａに押されることがあっても、先端面接触片７ｆでその力を受けて、取付部７ａと第１軸受け部５ｂとの取付部分に力が集中することを防止できる。
【００３９】
よって、接続具７は、ノズルガイド筒５の先端面５ｃに接触すると共に、ノズルガイド筒５内の局部洗浄ノズル３には接触しない先端面接触片７ｆをさらに備えたことで、ノズルガイド筒５から外れにくくなっている。
【００４０】
なお、本実施形態の便器においては、図６に示すように、接続具７及び開閉蓋６をノズルガイド筒５に接続させた状態の局部洗浄ユニット４を便器後方から、リム２とボウル部１との間が狭まった部分にノズルガイド筒５の先端部分が位置するように差し込んで、便器本体に設置する。この際、取付部７ａ（の開口補強部７ｈ２）は、第１軸受け部５ｂの開口５ｄ１の外側（上方）に突出しないように形成しているので、狭まった部分のリム２に取付部７ａ（の開口補強部７ｈ２）が当たりにくくなっている。このような構造とすることで、ノズルガイド筒５から接続具７及び開閉蓋６が外れにくくすることができる。
【００４１】
なお、本実施形態においては、開口補強部７ｈ２の上面は上段側の矩形板７ｅの上面と面一となっており、取付部７ａを嵌めた状態の第１軸受け部５ｂの上端は、上段側の矩形板７ｅの上面より上方に突出しないように形成されている。よって、その狭まった部分のリム２に接続具７及びノズルガイド筒５の第１軸受け部５ｂがさらに当たりにくくなっている。このような構造とすることで、ノズルガイド筒５から接続具７及び開閉蓋６がさらに外れにくくすることができる。なお、開口補強部７ｈ２の上面は上段側の矩形板７ｅの上面より上方に突出しないのであれば、面一でなくても構わない。
【００４２】
また、取付部７ａは、第１軸受け部５ｂの開口５ｄ１に嵌まる開口補強部７ｈ２を有することで、取付部７ａの円柱状の軸部７ｈ１が第１軸受け部５ｂの奥部５ｄ２内で回転することを防止できる。
【００４３】
また、ボウル部１側から開閉蓋６が方向Ａに押される際、開閉蓋６の裏面（ボウル部１側と反対側の面）は、下段側の矩形板７ｅの長さ方向の端部に接触する。このような構成とすることで、第２軸受け部７ｂと開閉蓋６の軸部６ｂとの取付部分に力が集中することを防止できる。よって、開閉蓋６は接続具７から外れにくくなっている。
【００４４】
なお、第２軸受け部７ｂの幅方向の長さは、取付部７ａの幅方向の長さよりも長くなっている。このような構成とすることで、開閉蓋６の軸部６ｂを幅方向に広く支えて保持力を高めている。
【００４５】
また、取付部７ａを、軸部７ｈ１と、上面が上段側の矩形板７ｅの上面と面一となっている開口補強部７ｈ２と、から構成することで、取付部７ａを太くして強度を高めている。
【００４６】
以上のような構成とすることで、実施形態３の接続具７は、開閉蓋６に荷重や衝撃がかかっても、開閉蓋６や接続具７の取付部分が破損しにくくすることができている。
【００４７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４８】
１          ボウル部
２          リム
２ａ        内周壁
２ｂ        開口部
３          局部洗浄ノズル
４          局部洗浄ユニット
５          ノズルガイド筒
５ａ        ノズルガイド筒の先端上部
５ｂ        第１軸受け部
５ｃ        先端面
５ｄ１      開口
５ｄ２      奥部
６          開閉蓋
６ａ        開閉蓋の上部
６ｂ        軸部
７          接続具
７ａ        取付部
７ｈ１      軸部
７ｈ２      開口補強部
７ｂ        第２軸受け部
７ｆ        先端面接触片
【図１】
2011069184.tif 000003
【図２】
2011069184.tif 000004
【図３】
2011069184.tif 000005
【図４】
2011069184.tif 000006
【図５】
2011069184.tif 000007
【図６】
2011069184.tif 000008
【図７】
2011069184.tif 000009
【図８】
2011069184.tif 000010